(57)【要約】【課題】種々のばい菌、細菌、微生物がＡＲコート上に付着したまま誤って眼内につけてしまったり、赤ん坊や児童、痴呆症のお年寄りなどが誤ってレンズ表面をなめてしまったりした場合であっても、人体に悪影響を及ぼすことを防ぎ、滅菌、殺菌、抗菌の予防をすることができる眼内用レンズなどの医療用レンズや眼鏡用レンズなどの光学部品を提供する。【解決手段】  光学部品の表面に反射防止膜を設け、反射防止膜の上に殺菌性のある物質を設ける。殺菌性のある物質は、Ｎ−（トリメトキシルプロピル）イソチオウロニウムクロライト、Ｎ−トリメトキシシリルプロピル−Ｎ−アルキル−Ｎ−メチルアンモニウムクロライド、又は、Ｎ−トリメトキシシリルプロピル−Ｎ−アルキル−Ｎ，Ｎ−ジメチルアンモニウムクロライドである。【選択図】図１
2010139964.tif 000002
【特許請求の範囲】
【請求項１】
光学部品の表面に反射防止膜を設け、反射防止膜に殺菌性のある物質を付したことを特徴とする光学部品。
【請求項２】
請求項１に記載の光学部品において、
殺菌性のある物質は、
Ｎ−（トリメトキシルプロピル）イソチオウロニウムクロライト、
Ｎ−トリメトキシシリルプロピル−Ｎ−アルキル−Ｎ−メチルアンモニウムクロライド、又は、
Ｎ−トリメトキシシリルプロピル−Ｎ−アルキル−Ｎ，Ｎ−ジメチルアンモニウムクロライド
であることを特徴とする光学部品。
【請求項３】
請求項１又は２に記載の光学部品において、
殺菌性のある物質が、塗布により反射防止膜に付されていることを特徴とする光学部品。
【請求項４】
請求項１〜３のいずれか１項に記載の光学部品において、
反射防止膜と、殺菌性のある物質とが、共有結合するとともに、架橋構造を形成し、有機的に強固に結合していることを特徴とする光学部品。
【請求項５】
請求項４に記載の光学部品において、
シランカップリング剤が添加されて、結合がより強固になっていることを特徴とする光学部品。
【請求項６】
請求項５に記載の光学系部品において、
シランカップリング剤は、有機ケイ素化合物であり、アルコキシ基−Ｓｉ−Ｘの化学式からなり、Ｘには、エポキシ樹脂、アルキル基、ビニル基、およびアミノ基から選択された少なくとも１つの有機質と反応しやすい物質が結合していることを特徴とする光学部品。
【発明の詳細な説明】
【技術分野】
【０００１】
本発明は、反射防止膜が付けられた表面に殺菌性（滅菌性）のある物質を設けた光学部品、とくに眼内レンズや眼鏡用レンズなどの光学部品に関する。
【従来技術】
【０００２】
従来から、例えば、特許文献１に示されているように、内視鏡などの医療分野などで無菌のスリーブ先端に設けられた窓の表面に対してフッ化マグネシウムを用いて反射防止膜（コーティング）を形成することが知られている。例えば特許文献１公報第４頁左欄第３２行〜同公報同頁同欄第４１行、同公報第５頁左欄第２７行〜同公報同頁同欄第２８行、第７図、第９図、第１０図参照。スリーブを次の処置に再使用する場合は滅菌されることが知られている（同公報第６頁右欄第１７行〜同公報同頁同欄第１８行）。
【０００３】
また、例えば、特許文献２特許請求の範囲第１項及び第２項に記されているように、染料、顔料、蓄光部材、抗菌部材、光触媒、反射防止膜の内、少なくとも２種類以上の機能性部材を表面に備えることは公知である。また、反射防止膜、光触媒の内いずれか一方を最外層に配置したレンズが知られている。特許文献２の段落００６１には、第１の機能性部材と第２の機能性部材との組み合わせを任意に選択することにより、着色部材（染料、顔料）、蛍光塗料、蛍光顔料、光触媒、抗菌部材、蓄光物質などの機能性部材を、少なくとも２種類以上、容易にレンズ基材の表面に配設できる旨記載されている。また特許文献２の段落００９２と図６には抗菌部材または着色部材（染料、顔料）を配設した実施例が示され、抗菌部材は殺菌作用によりレンズの防カビ、防曇を図れる旨記載されている。
【特許文献１】特許２７１６２６５号公報
【特許文献２】特開平１１−１０１９０１号公報
【発明の開示】
【発明が解決しようとする課題】
【０００４】
しかしながら、上述した特許文献１および２には、反射防止膜と有機的に結合できる殺菌性又は滅菌性物質が直接的かつ一義的に記載されておらず、また熱膨張係数などの物質特性が厳密に検討されていないため、例えば、その表面に反射防止膜が施された眼内用レンズや眼鏡用レンズなどに上述した抗菌部材を配置したとしても、長期間に亘って人体に装着するようなレンズなどの光学部品の場合、その抗菌部材が剥がれ落ちてしまう可能性があり、十分な殺菌性（滅菌性）の効果を発揮することができなかった。そのため、種々のばい菌や細菌がＡＲコート上に付着したまま眼内につけてしまったり、赤ん坊や児童、痴呆症のお年寄りなどがレンズ表面をなめてしまったりした場合に、人体に悪影響を及ぼすことを防ぐことができなかった。
【０００５】
そこで、本発明は、種々のばい菌、細菌、微生物がＡＲコート上に付着したまま誤って眼内につけてしまったり、赤ん坊や児童、痴呆症のお年寄りなどが誤ってレンズ表面をなめてしまったりした場合であっても、人体に悪影響を及ぼすことを防ぐことができる眼内用レンズなどの医療用レンズや眼鏡用レンズなどの光学部品を提供することを目的とする。
【０００６】
また、本発明の別の目的は、滅菌、殺菌、抗菌の予防をすることができる眼内用レンズなどの医療用レンズや眼鏡用レンズなどの光学部品を提供することである。
【課題を解決するための手段】
【０００７】
本発明の解決手段を例示すると、次のとおりである。
【０００８】
（１）光学部品の表面に反射防止膜を設け、反射防止膜に殺菌性のある物質を付したことを特徴とする光学部品。
【０００９】
（２）前述の光学部品において、
殺菌性のある物質は、
Ｎ−（トリメトキシルプロピル）イソチオウロニウムクロライト、
Ｎ−トリメトキシシリルプロピル−Ｎ−アルキル−Ｎ−メチルアンモニウムクロライド、又は、
Ｎ−トリメトキシシリルプロピル−Ｎ−アルキル−Ｎ，Ｎ−ジメチルアンモニウムクロライド
であることを特徴とする光学部品。
【００１０】
（３）前述の光学部品において、
殺菌性のある物質が、塗布により反射防止膜に付されていることを特徴とする光学部品。
【００１１】
（４）前述の光学部品において、
反射防止膜と、殺菌性のある物質とが、共有結合するとともに、架橋構造を形成し、有機的に強固に結合していることを特徴とする光学部品。
【００１２】
（５）前述の光学部品において、
シランカップリング剤が添加されて、結合がより強固になっていることを特徴とする光学部品。
【００１３】
（６）前述の光学系部品において、
シランカップリング剤は、有機ケイ素化合物であり、アルコキシ基−Ｓｉ−Ｘの化学式からなり、Ｘには、エポキシ樹脂、アルキル基、ビニル基、およびアミノ基から選択された少なくとも１つの有機質と反応しやすい物質が結合していることを特徴とする光学部品。
【発明の効果】
【００１４】
本発明によれば、種々のばい菌、細菌、微生物がＡＲコート上に付着したまま誤って眼内につけてしまったり、赤ん坊や児童、痴呆症のお年寄りなどが誤ってレンズ表面をなめてしまったりした場合であっても、人体に悪影響を及ぼすことを防ぐ滅菌（殺菌）効果のある物質が、ＡＲコートされた眼内用レンズや眼鏡用レンズなどのレンズの表面に強固にかつ長期間に亘って付着しているため、確実に滅菌、殺菌、抗菌の予防をすることができる。そのため、人体に悪影響を及ぼすことを確実に防ぐことができる。
【発明を実施するための最良の形態】
【００１５】
眼内用レンズなどの医療用レンズや眼鏡用レンズなどの光学部品の表面には反射防止膜（ＡＲコート）が付されている。反射防止膜の例としては、例えば、フルオロアルキルシラン系化合物などのフッ素系化合物（一例としてＭｇＦ２）やＳｉＯ２、ＴｉＯ２、Ｔｉ２Ｏ３、ＴｉＯ、Ａｌ２Ｏ３、ＺｒＯ２、ＰｂＦ２、ＴｈＦ４、ＹＦ３、ＢａＦ２、ＣａＦ２、ＢａＦ２、ＳｒＦ２、ＢＫ７（ガラス）、Ｓｉなどがあげられる。
【００１６】
本発明においては、その反射防止膜の表面に、殺菌性のある物質をつける。
【００１７】
殺菌性のある物質としては、たとえば、次のものがあげられる。
【００１８】
Ｎ−（トリメトキシルプロピル）イソチオウロニウムクロライト、
Ｎ−トリメトキシシリルプロピル−Ｎ−アルキル−Ｎ−メチルアンモニウムクロライド、又は、
Ｎ−トリメトキシシリルプロピル−Ｎ−アルキル−Ｎ，Ｎ−ジメチルアンモニウムクロライド。
【００１９】
本発明は、これに限定されず、滅菌性や殺菌性のある物質であればよい。
【００２０】
コーティング方法の一例は塗布である。すなわち、反射防止膜が付された眼内用レンズなどの医療用レンズや眼鏡用レンズなどの光学部品の表面に殺菌性のある物質を塗布し、コーティング被膜を形成する。
【００２１】
塗布方法としては、マイクログラビアコーティング、スピンコーティング、ディップコーティング、カーテンフローコーティング、ロールコーティング、スプレーコーティング、流し塗り法などがある。
【００２２】
また、本発明で用いる光学部品の表面は、塗布時に洗浄されていることが好ましい。洗浄方法としては、界面活性剤による汚れ除去、さらには有機溶剤による脱脂、蒸気洗浄、エアースプレーを噴射し、洗浄する方法がある。また、塗布時におけるフロー性向上のために各種の界面活性剤が使用できる。とくにフロー性に加えて、反射防止膜の汚れ防止を同時に向上させ得る点からフッ素系界面活性剤の添加が好ましい。また、密着性、耐久性の向上のために、コーティング材料を塗布する前にあらかじめ基材表面に各種の前処理を施すことも有効な手段であり、その例として、活性化ガス処理、酸、アルカリなどによる薬品処理があげられる。
【００２３】
また、上述したフルオロアルキルシラン系化合物などのフッ素系化合物（一例としてＭｇＦ２）やＳｉＯ２などの反射防止膜と、殺菌性のある物質は、水素結合または共有結合するとともに、架橋構造を形成し、有機的に強固に結合させることが好ましい。
【００２４】
なお、シランカップリング剤などを添加することによって、さらに結合の度合いを強固にすることができる。シランカップリング剤は有機ケイ素化合物であり、アルコキシ基−Ｓｉ−Ｘの化学式からなり、Ｘにはエポキシ樹脂、アルキル基、ビニル基、アミノ基などの有機質と反応しやすい物質が結合している。
【００２５】
このシランカップリング剤を例示すると、２−（３、４エポキシシクロヘキシル）エチルトリメトキシシラン、３−グリシドキシプロピルトリメトキシシラン、３−グリシドキシプロピルメチルジエトキシシラン、３−グリシドキシプロピルトリエトキシシラン等、ビニルトリクロルシラン、ビニルトリメトキシシラン、ビニルトリエトキシシラン等、Ｎ−２（アミノエチル）３−アミノプロピルメチルジメトキシシラン、Ｎ−２（アミノエチル）３−アミノプロピルメチルトリメトキシシラン、Ｎ−２（アミノエチル）３−アミノプロピルトリエトキシシラン、３−アミノプロピルトリメトキシシラン、３−アミノプロピルトリエトキシシラン、３−トリエトキシシリル−Ｎ−（１、３−ジメチル−ブチリデン）プロピルアミン、Ｎ−フェニル−３−アミノプロピルトリメトキシシラン、Ｎ−（ビニルベンジル）−２−アミノエチル−３−アミノプロピルトリメトキシシランの塩酸塩、特殊アミノシラン等である。
【００２６】
このようにアルコキシ基がアミンと結合し、ケイ素（Ｓｉ）を間においてＳｉＯ２の反射防止膜、またはフッ素（Ｆ）を間においてＭｇＦ２などのフッ素系化合物の反射防止膜とエポキシ基が結合し、その上に塗布されるエポキシ樹脂と同一の基が存在することで、エポキシ樹脂と強い化学結合を形成する。
【００２７】
以上のように、シランカップリング剤は、無機材料と有機材料の材料界面の架橋として作用するが、これを反射防止膜と殺菌性（滅菌性）のある物質との間で架橋として作用させることで、新たな結合関係を作ることができる。
【００２８】
これらの殺菌性のある物質を、反射防止膜が付された眼内用レンズなどの医療用レンズや眼鏡用レンズなどの光学部品の表面につける前と後で、４００ｎｍから７００ｎｍでの波長域における反射防止の光学特性を調べたところ、図１に示すように、ほとんど光学特性が変わらず、有効であった。
【００２９】
また、数百〜数千時間に亘って殺菌性（滅菌性）のある物質が反射防止膜から剥離することがなく、強固に付着していることがわかる。
【００３０】
本発明の前述の例では、滅菌性、殺菌性のために殺菌性のある物質を付したが、本発明は、これに限定されず、それに加えて防塵、防水、防曇などの性質をも有するようにしてもよい。
【図面の簡単な説明】
【００３１】
【図１】光学部品の表面につける前と後で、４００ｎｍから７００ｎｍでの波長域における反射防止の光学特性を示すグラフ。
【図１】
2010139964.tif 000003